(57)【要約】      （修正有）【課題】反射部材を効率よく冷却できる光路変更装置及びプロジェクターを提供する。【解決手段】光路変更装置５は、入射される光を所定の反射方向に反射させる反射部材と、反射部材を保持する筐体５０と、を備え、筐体５０は、反射方向に対する直交方向に沿って反射部材を挟む第１面（下面部５２）及び第２面（上面部５１）を有し、第１面（下面部５２）及び第２面（上面部５１）は、それぞれ開口部５１１，５１５，５２５を有し、第１面（下面部５２）の開口部および開口部５２５から第２面（上面部５１）の開口部５１１，５１５に冷却気体が流通する。【選択図】図１０
2017003798.tif 000002
【特許請求の範囲】
【請求項１】
入射される光を所定の反射方向に反射させる反射部材と、
前記反射部材を保持する筐体と、を備え、
前記筐体は、前記反射方向に対する直交方向に沿って前記反射部材を挟む第１面及び第
２面を有し、
前記第１面及び前記第２面は、それぞれ開口部を有し、
前記第１面の開口部から前記第２面の開口部に冷却気体が流通することを特徴とする光
路変更装置。
【請求項２】
請求項１に記載の光路変更装置において、
前記第１面の開口部及び前記第２面の開口部は、それぞれ、前記反射部材の反射面とは
反対側に冷却気体が流通される位置に形成されていることを特徴とする光路変更装置。
【請求項３】
請求項１に記載の光路変更装置において、
前記筐体は、前記反射部材を保持する保持部を有し、
前記第１面の開口部及び前記第２面の開口部は、前記反射部材における反射面とは反対
側の面と、前記保持部との少なくとも一方に冷却気体が流通する位置に形成されることを
特徴とする光路変更装置。
【請求項４】
請求項３に記載の光路変更装置において、
前記保持部は、熱伝導性材料により構成されていることを特徴とする光路変更装置。
【請求項５】
請求項１から請求項４のいずれか一項に記載の光路変更装置と、
前記光路変更装置に向けて光を出射する複数の光源を有する光源ユニットと、
前記第１面の開口部に冷却気体を流通させる冷却装置と、を備えることを特徴とするプ
ロジェクター。
【発明の詳細な説明】
【技術分野】
【０００１】
本発明は、光路変更装置及びプロジェクターに関する。
【背景技術】
【０００２】
従来、照明装置と、当該照明装置から出射された光を変調して画像情報に応じた画像を
形成する光変調装置と、当該画像をスクリーン等の被投射面上に拡大投射する投射光学装
置とを備えたプロジェクターが知られている。
このようなプロジェクターとして、複数のランプから出射された光を合成して照明光を
出射する照明装置を備えたプロジェクターが知られている（例えば、特許文献１参照）。
【０００３】
この特許文献１に記載のプロジェクターの照明装置は、対向配置された２つの光源及び
当該２つの光源間に配置された光路変更部材と、同対向配置された２つの光源と、当該２
つの光源間に配置された光路変更部材と、を備える。これら各光源から出射された光は、
光路変更部材（反射部材）により反射され、平行化された後、照明装置外に出射される。
【先行技術文献】
【特許文献】
【０００４】
【特許文献１】特開２００２−９０８７７号公報
【発明の概要】
【発明が解決しようとする課題】
【０００５】
ところで、特許文献１に記載の照明装置における各光路変更部材は、入射される光によ
り生じる熱の影響を受けることにより、当該光路変更部材の位置が設計上の位置からずれ
、所望の反射位置に光源から出射された光を反射できなくなるおそれがある。このため、
光路変更部材（反射部材）を効率よく冷却できる構成が望まれていた。
【０００６】
本発明は、上述の課題の少なくとも一部を解決することを目的としたものであり、反射
部材を効率よく冷却できる光路変更装置及びプロジェクターを提供することを目的の１つ
とする。
【課題を解決するための手段】
【０００７】
本発明の第１態様に係る光路変更装置は、入射される光を所定の反射方向に反射させる
反射部材と、前記反射部材を保持する筐体と、を備え、前記筐体は、前記反射方向に対す
る直交方向に沿って前記反射部材を挟む第１面及び第２面を有し、前記第１面及び前記第
２面は、それぞれ開口部を有し、前記第１面の開口部から前記第２面の開口部に冷却気体
が流通することを特徴とする。
【０００８】
上記第１態様によれば、筐体内を反射部材の反射面及び当該反射面とは反対方向側の面
に略直交する方向に冷却気体が流通するので、反射部材を冷却し、かつ、当該反射部材を
冷却した冷却気体を筐体外に排出できる。従って、上記反射部材を効率よく冷却できる。
【０００９】
上記第１態様では、前記第１面の開口部及び前記第２面の開口部は、それぞれ、前記反
射部材の反射面とは反対側に冷却気体が流通される位置に形成されていることが好ましい
。
ここで、筐体内を流通する冷却気体には、塵埃が含まれる場合があり、当該冷却気体が
反射部材の反射面側を流通すると、当該塵埃が反射面に付着する可能性がある。このよう
な場合、反射部材による光の反射効率が低下するおそれがある。
これに対し、上記第１態様によれば、反射部材の反射面とは反対側を冷却気体が流通す
るので、冷却気体が反射部材の反射面側を流通する場合に比べて、当該反射部材の反射面
に塵埃が付着する可能性を低減できる。従って、光の反射効率が塵埃の付着によって低減
されることを抑制できる。
【００１０】
上記第１態様では、前記筐体は、前記反射部材を保持する保持部を有し、前記第１面の
開口部及び前記第２面の開口部は、前記反射部材における反射面とは反対側の面と、前記
保持部との少なくとも一方に冷却気体が流通する位置に形成されることが好ましい。
なお、保持部には、例えば、筐体の内面から起立して反射部材を支持する支持壁が含ま
れる他、筐体に反射部材を固定する固定部材が設けられる場合には、当該固定部材も含ま
れる。
上記第１態様によれば、反射部材の反射面とは反対側の面と保持部との少なくとも一方
に冷却気体が流通する。これらのうち、当該反対側の面に冷却気体が流通する場合には、
当該冷却気体によって反射部材を直接冷却でき、保持部に冷却気体が流通する場合には、
反射部材から熱が伝導される保持部を冷却気体によって冷却できるので、反射部材を間接
的に冷却できる。従って、反射部材を効率よく冷却できる。そして、このように冷却気体
が流通することにより、当該冷却気体が反射面側を流通することを抑制でき、冷却気体に
含まれる塵埃が反射面に付着することを確実に抑制できる。
【００１１】
上記第１態様では、前記保持部は、熱伝導性材料により構成されていることが好ましい
。
なお、上記熱伝導性材料としては、アルミダイキャスト等の金属材料を例示できる。
上記第１態様によれば、保持部が熱伝導性材料により構成されているので、反射部材の
熱を確実に保持部に伝導でき、当該保持部に冷却気体が流通することにより、当該反射部
材を確実に冷却できる。
【００１２】
本発明の第２態様に係るプロジェクターは、上記光路変更装置と、前記光路変更装置に
向けて光を出射する複数の光源を有する光源ユニットと、前記第１面の開口部に冷却気体
を流通させる冷却装置と、を備えることを特徴とする。
上記第２態様によれば、上記第１態様に係る光路変更装置と同様の効果を奏することが
できる。また、冷却装置により上記第１面の開口部に冷却気体が流通するので、確実に光
路変更装置を冷却できる。
【図面の簡単な説明】
【００１３】
【図１】本発明の一実施形態に係るプロジェクターを示す概略斜視図。
【図２】上記一実施形態に係るプロジェクターの内部構成を示す模式図。
【図３】上記一実施形態に係る照明装置を構成する光源装置の断面図。
【図４】上記一実施形態に係る照明装置の構成を示す模式図。
【図５】上記一実施形態に係る各光源装置から出射される光の出射方向に沿う方向から当該光源装置を見た模式図。
【図６】上記一実施形態に係る照明装置を光の出射方向とは反対方向側から見た図。
【図７】上記一実施形態に係る第１反射ミラー、第２反射ミラー及び第１レンズを取り外した状態の照明装置を光の出射方向とは反対方向側から見た図。
【図８】上記一実施形態に係る照明装置の第１レンズを示す模式図。
【図９】上記一実施形態に係る照明装置の第２レンズを示す模式図。
【図１０】上記一実施形態に係る光路変更装置を光の出射方向とは反対方向側から見た斜視図。
【図１１】上記一実施形態に係る光路変更装置の下面部側を光の出射方向側から見た斜視図。
【図１２】上記一実施形態に係る光路変更装置における天面部の平面図。
【図１３】上記一実施形態に係る光路変更装置における底面部の平面図。
【図１４】上記一実施形態に係る光路変更装置を光の出射方向とは反対方向側から見た正面図。
【図１５】上記一実施形態に係る筐体を構成するフレーム部材を光の出射方向とは反対方向側から見た斜視図。
【図１６】上記一実施形態に係るフレーム部材を光の出射方向側から見た斜視図。
【図１７】上記一実施形態に係る第２フレーム部材を光の出射方向とは反対方向側から見た斜視図。
【図１８】上記一実施形態に係る反射ミラー、第１レンズ及び第２レンズを取り付けた状態の第２フレーム部材を光の出射方向とは反対方向側から見た斜視図。
【図１９】上記一実施形態に係る光路変更装置を光の出射方向とは反対方向側から見た一部分解斜視図。
【図２０】上記一実施形態に係るプロジェクターのベース部材に固定された第１ランプユニット、第２ランプユニット及び光路変更装置を示す平面図。
【図２１】上記一実施形態に係る光路変更装置の右側面図。
【図２２】上記一実施形態に係る光路変更装置の左側面図。
【図２３】上記一実施形態に係る光路変更装置を冷却する冷却気体の流路を示す図。
【発明を実施するための形態】
【００１４】
以下、本発明の一実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調
して画像情報に応じた画像を形成し、当該画像をスクリーン等の被投射面上に拡大投射す
る投射型表示装置である。
このプロジェクター１は、４つの光源装置４１Ａ〜４１Ｄ（図２参照）を備えた複灯型
のプロジェクターである。これら４つの光源装置４１Ａ〜４１Ｄから出射された光は、詳
しくは後述するが、光路変更装置５によって同方向に反射されて照明装置３１から出射さ
れ、複数の光学部品を介して、光変調装置に入射される。
【００１５】
外装筐体２は、天面部２１、底面部２２、正面部２３、背面部２４、左側面部２５及び
右側面部２６を有する略直方体形状に形成されている。
天面部２１には、使用者がプロジェクター１を把持したり、天井等に設置された器具に
プロジェクター１を固定したりする際に利用される一対の把手部２１１が設けられている
。
底面部２２には、図示を省略するが、設置台等の設置面上に載置される際に、当該設置
面と接触する脚部が設けられている。
正面部２３には、後述する画像形成装置３を構成する投射光学装置３５の一部が露出す
る開口部２３１が形成されている。
背面部２４には、後述する第１ランプユニット４Ａ、第２ランプユニット４Ｂ（図２参
照）及び光路変更装置５（図２参照）を外装筐体２内に交換可能に収納するための開口部
（図示省略）が形成され、当該開口部は、カバー部材（図示省略）によって覆われている
。
これらの他、図示を省略するが、右側面部２６には、外装筐体２外の空気を内部に導入
する導入口が形成され、左側面部２５には、外装筐体２内の空気を外部に排出する排気口
が形成されている。
【００１６】
［プロジェクターの内部構成］
図２は、プロジェクター１の内部構成を示す模式図である。
プロジェクター１は、上記外装筐体２の他、図２に示すように、当該外装筐体２内に配
置される画像形成装置３及び当該プロジェクター１の構成部品を冷却する冷却装置９を備
える。また、詳しくは後述するが、外装筐体２内には、光路変更装置５が収納される収納
部２７が設けられている。この他、図示を省略するが、プロジェクター１は、当該プロジ
ェクター１を制御する制御装置、及び、当該プロジェクター１を構成する電子部品に電力
を供給する電源装置を備える。
【００１７】
［画像形成装置の構成］
画像形成装置３は、上記制御装置から入力される画像情報に応じた画像を形成及び投射
する。この画像形成装置３は、照明装置３１、均一化装置３２、色分離装置３３、電気光
学装置３４、投射光学装置３５、ベース部材３６及び光学部品用筐体３７を備える。
これらのうち、光学部品用筐体３７に接続されるベース部材３６は、照明装置３１を収
納固定する機能を有する。
また、光学部品用筐体３７は、内部に照明光軸Ａｘが設定された箱状筐体であり、均一
化装置３２及び色分離装置３３は、光学部品用筐体３７内における照明光軸Ａｘ上の位置
に配置される。また、照明装置３１、電気光学装置３４及び投射光学装置３５は、光学部
品用筐体３７外に位置するものの当該照明光軸Ａｘに応じて配置される。
照明装置３１は、均一化装置３２に平行光を出射する。この照明装置３１の構成につい
ては、後に詳述する。
【００１８】
均一化装置３２は、照明装置３１から出射された光束の中心軸に対する直交面内の照度
を均一化する。この均一化装置３２は、シネマフィルター３２１、第１レンズアレイ３２
２、ＵＶフィルター３２３、第２レンズアレイ３２４、偏光変換素子３２５及び重畳レン
ズ３２６を有する。
これらのうち、偏光変換素子３２５は、入射された光の偏光方向を一種類に揃えるもの
である。
色分離装置３３は、均一化装置３２から入射される光束を、赤（Ｒ）、緑（Ｇ）及び青
（Ｂ）の３つの色光に分離する。この色分離装置３３は、ダイクロイックミラー３３１，
３３２、反射ミラー３３３〜３３６及びリレーレンズ３３７，３３８を有する。
【００１９】
電気光学装置３４は、分離された各色光を画像情報に応じて変調した後、変調された各
色光を合成する。この電気光学装置３４は、それぞれ色光毎に設けられる光変調装置とし
ての液晶パネル３４１（赤、緑及び青用の液晶パネルを、それぞれ３４１Ｒ，３４１Ｇ，
３４１Ｂとする）、入射側偏光板３４２及び出射側偏光板３４３と、１つの色合成装置３
４４と、を有する。これらのうち、色合成装置３４４としては、ダイクロイックプリズム
を採用できる。
投射光学装置３５は、色合成装置３４４により合成された光束（画像を形成する光束）
を上記被投射面上に拡大投射する投射レンズである。このような投射光学装置３５として
は、鏡筒内に複数のレンズが配置された組レンズを採用できる。
【００２０】
［照明装置の構成］
照明装置３１は、図２に示すように、第１ランプユニット４Ａ及び第２ランプユニット
４Ｂのそれぞれに固定される複数の光源装置を有する。この複数の光源装置は、本発明の
複数の光源（第１〜第４光源）に相当し、本実施形態では、４つの光源装置４１（４１Ａ
〜４１Ｄ）を有する。この他、照明装置３１は、各光源装置４１Ａ〜４１Ｄから出射され
た光を反射させて、所定の一方向に揃えて出射する光路変更装置５を備える。また、第１
ランプユニット４Ａは、光源装置４１Ａ及び光源装置４１Ｃを備え、第２ランプユニット
４Ｂは、光源装置４１Ｂ及び光源装置４１Ｄを備える。これら第１ランプユニット４Ａ及
び第２ランプユニット４Ｂは、光路変更装置５を挟んでそれぞれＸ方向側及びＸ方向とは
反対方向側に配置される。なお、第１ランプユニット４Ａ及び第２ランプユニット４Ｂは
、本発明の複数の光源ユニットに相当する。
【００２１】
［光源装置の構成］
図３は、光源装置４１の構成を示す断面図である。
光源装置４１は、それぞれ、図２及び図３に示すように、発光管４１１と、当該発光管
４１１の一端側に位置する封止部４１１２に固定されるリフレクター４１２と、これらを
内部に収納する収納体４１３と、を備える。これらのうち、リフレクター４１２は、発光
管４１１の発光部４１１１から出射された光を一方向に揃えて出射するものであり、本実
施形態では、反射面４１２１が楕円面である楕円面リフレクターとして構成されている。
【００２２】
収納体４１３は、リフレクター４１２の反射面４１２１と対向する正面部４１３Ａに、
当該リフレクター４１２にて反射された光、及び、発光部４１１１から直接入射される光
が通過する開口部４１３１が形成されている。この開口部４１３１は、発光部４１１１の
中心を通り、かつ、発光管４１１の中心軸に沿う仮想線を中心として形成されている。
【００２３】
［光源装置の配置］
図４は、光源装置４１Ａ〜４１Ｄの配置を示す模式図である。なお、図４では、第１及
び第２ランプユニット４Ａ，４Ｂの図示を省略している。また、光路変更装置５は、内部
構造を分かりやすくするため、断面図により示している。
上記構成を有する光源装置４１（４１Ａ〜４１Ｄ）のうち、光源装置４１Ａ，４１Ｃと
、光源装置４１Ｂ，４１Ｄとは、図４に示すように、光路変更装置５を挟んで互いに反対
側に配置され、これら光源装置４１Ａ〜４１Ｄは、それぞれ、当該光路変更装置５に向け
て光を出射する。
なお、以下の説明では、照明装置３１による光の出射方向をＺ方向とし、当該Ｚ方向に
それぞれ直交し、かつ、互いに直交する方向をＸ方向及びＹ方向とする。本実施形態では
、Ｚ方向は、外装筐体２における背面部２４から正面部２３に向かう方向であることから
、Ｘ方向を外装筐体２における左側面部２５から右側面部２６に向かう方向とし、Ｙ方向
を外装筐体２における底面部２２から天面部２１に向かう方向として説明する。
【００２４】
光源装置４１Ａ，４１Ｃは、光路変更装置５に対してＸ方向側に配置され、光源装置４
１Ｂ，４１Ｄは、光路変更装置５に対してＸ方向とは反対側に位置する。これらのうち、
光源装置４１Ａ及び光源装置４１Ｃは、Ｚ方向に沿って光源装置４１Ａ，光源装置４１Ｃ
の順に配置される。同様に、光源装置４１Ｂ及び光源装置４１Ｄは、Ｚ方向に沿って光源
装置４１Ｄ，光源装置４１Ｂの順に配置される。これにより、光源装置４１Ａ及び光源装
置４１Ｃから出射された出射光Ｌ１１，Ｌ３１は、Ｘ方向とは反対方向に向けて出射され
、光源装置４１Ｂ及び光源装置４１Ｄから出射された出射光Ｌ２１，Ｌ４１は、Ｘ方向に
向けて出射される。
【００２５】
図５は、Ｘ方向側から光源装置４１Ａ〜４１Ｄを見た模式図である。なお、図５では、
当該光源装置４１Ａ〜４１Ｄの位置関係がわかりやすくなるように、光源装置４１Ａ〜４
１Ｄにおける収納体４１３及び開口部４１３１のみを示している。また、光源装置４１Ａ
，４１Ｃが収納される収納体４１３の開口部４１３１を実線にて示し、光源装置４１Ｂ，
４１Ｄが収納される収納体４１３の開口部４１３１を破線にて示している。
【００２６】
収納体４１３のＹ方向に沿う方向の寸法は、図４及び図５に示すように、開口部４１３
１の同方向の寸法より大きい。このため、本実施形態では、光源装置４１Ａの照射領域外
に光源装置４１Ｄを配置する場合、当該収納体４１３のＹ方向に沿う方向の寸法分、高さ
位置を異ならせる必要はなく、光源装置４１Ａにおける収納体４１３の開口部４１３１と
光源装置４１Ｄにおける収納体４１３の開口部４１３１とが重ならないようにそれぞれの
Ｙ方向に沿う方向の高さ位置が異なる状態で配置される。すなわち、光源装置４１Ａの収
納体４１３の一部と光源装置４１Ｄの収納体４１３の一部とは、Ｘ方向に沿う方向から見
て重なっている。これと同様に、光源装置４１Ｂの照射領域外に光源装置４１Ｃを配置す
る場合も、光源装置４１Ｂにおける収納体４１３の開口部４１３１と光源装置４１Ｃにお
ける収納体４１３の開口部４１３１とが重ならないようにそれぞれのＹ方向に沿う方向の
高さ位置が異なる状態で配置される。すなわち、光源装置４１Ｂの収納体４１３の一部と
光源装置４１Ｃの収納体４１３の一部とは、Ｘ方向に沿う方向から見て重なっている。
【００２７】
また、光源装置４１Ａから出射される出射光Ｌ１１の中心軸Ｐ１及び光源装置４１Ｂか
ら出射される出射光Ｌ２１の中心軸Ｐ２を含む第１平面Ｈ１は、図５に示すように、光源
装置４１Ｃから出射される出射光Ｌ３１の中心軸Ｐ３及び光源装置４１Ｄから出射される
出射光Ｌ４１の中心軸Ｐ４を含む第２平面Ｈ２とは、それぞれ平行であり、かつ、離間し
ている。すなわち、光源装置４１Ａ及び光源装置４１Ｂは、Ｙ方向に沿う方向において、
略同一の高さ位置に配置され、光源装置４１Ｃ及び光源装置４１Ｄは、上記光源装置４１
Ａ，４１Ｂとは異なる略同一の高さ位置に配置される。
【００２８】
このように配置された光源装置４１Ａ〜４１Ｄのうち、光源装置４１Ａから出射された
光は、光路変更装置５の反射ミラー５７Ａに入射され、光源装置４１Ｂから出射された光
は、反射ミラー５７Ｂに入射される。また、光源装置４１Ｃから出射された光は、反射ミ
ラー５７Ｃに入射され、光源装置４１Ｄから出射された光は、反射ミラー５７Ｄに入射さ
れる。
【００２９】
［光路変更装置の概略構成］
光路変更装置５は、上記のように、各光源装置４１（４１Ａ〜４１Ｄ）から入射される
光をＺ方向に揃えて出射し、当該光を上記均一化装置３２に入射させる。この光路変更装
置５は、筐体５０、各光源装置４１（４１Ａ〜４１Ｄ）に応じて設けられる反射ミラー５
７（５７Ａ〜５７Ｄ）と、第１レンズ５８及び第２レンズ５９と、を有する。なお、これ
ら反射ミラー５７、第１レンズ５８及び第２レンズ５９を保持する筐体５０及び筐体５０
内での保持構造については、後述する。
【００３０】
反射ミラー５７Ａは、光源装置４１Ａから入射される光をＺ方向に反射させる。また、
反射ミラー５７Ｂは、光源装置４１Ｂから入射される光をＺ方向に反射させる。更に、反
射ミラー５７Ｃは、光源装置４１Ｃから入射される光をＺ方向に反射させる。加えて、反
射ミラー５７Ｄは、光源装置４１Ｄから入射される光をＺ方向に反射させる。すなわち、
反射ミラー５７Ａ〜５７Ｄは、入射された光をＺ方向（本発明の所定の反射方向に相当す
る方向）に反射させる機能を有する。また、これら反射された光は、第１及び第２レンズ
５８，５９を介して均一化装置３２に入射される。
【００３１】
反射ミラー５７Ａ及び反射ミラー５７Ｄは、図４に示すように、光源装置４１Ａと光源
装置４１Ｄとの間に配置され、反射ミラー５７Ｂ及び反射ミラー５７Ｃは、光源装置４１
Ｂと光源装置４１Ｃとの間に配置される。また、反射ミラー５７Ａ，５７Ｄと反射ミラー
５７Ｂ，５７Ｃとの間には、第１レンズ５８が配置され、反射ミラー５７Ｂ，５７ＣのＺ
方向側に第２レンズ５９が配置される。
【００３２】
［反射ミラーの配置］
図６は、照明装置３１をＺ方向とは反対方向側から見た図であり、図７は、光源装置４
１Ａ，４１Ｄ、反射ミラー５７Ａ，５７Ｄ、並びに第１レンズ５８を取り外した状態の照
明装置３１をＺ方向とは反対方向側から見た図である。なお、図６及び図７では、反射ミ
ラー５７Ａ〜５７Ｄを破線で示している。
反射ミラー５７Ａは、図４及び図６に示すように、光源装置４１Ａ及び光源装置４１Ｄ
の間に配置され、かつ、光源装置４１Ａに対向する位置に配置される。また、反射ミラー
５７Ｄは、光源装置４１Ａ及び光源装置４１Ｄの間に配置され、かつ、光源装置４１Ｄに
対向する位置に配置される。
反射ミラー５７Ｃは、図４及び図７に示すように、光源装置４１Ｃ及び光源装置４１Ｂ
の間に配置され、かつ、光源装置４１Ｃに対向する位置に配置される。また、反射ミラー
５７Ｂは、光源装置４１Ｃ及び光源装置４１Ｂの間に配置され、かつ、光源装置４１Ｂに
対向する位置に配置される。
【００３３】
［第１レンズの構成及び配置］
図８は、第１レンズ５８をＺ方向とは反対方向側から見た図である。
第１レンズ５８は、図８に示すように、基板５８１、小レンズ５８２Ａ，５８２Ｄを備
える。これら小レンズ５８２Ａ，５８２Ｄは、所定の曲率で突出する形状であり、入射さ
れた光を平行化する機能を有する。なお、小レンズ５８２Ａ，５８２Ｄの曲率は、略同一
に設定される。
また、基板５８１は、矩形板状に形成され、当該基板５８１のＺ方向とは反対方向側の
面には、小レンズ５８２Ａ，５８２Ｄが形成されている。
この第１レンズ５８は、図２及び図４に示すように、Ｚ方向に沿う方向において、反射
ミラー５７Ａ，５７Ｄと反射ミラー５７Ｂ，５７Ｃの間に配置される。
【００３４】
［第２レンズの構成及び配置］
図９は、第２レンズ５９をＺ方向とは反対方向側から見た図である。
第２レンズ５９は、図９に示すように、基板５９１、小レンズ５９２Ｂ，５９２Ｃを備
える。これら小レンズ５９２Ｂ，５９２Ｃは、上記所定の曲率と異なる曲率で突出する形
状であり、入射された光を平行化する機能を有する。なお、小レンズ５９２Ｂ，５９２Ｃ
の曲率は、略同一に設定される。
基板５９１は、矩形板状に形成され、当該基板５９１のＺ方向とは反対方向側の面には
、小レンズ５９２Ｃ及び小レンズ５９２Ｂが形成されている。また、基板５９１の小レン
ズ５９２Ｂ，５９２Ｃが形成されていない領域には、透過領域Ａｒ１，Ａｒ２が形成され
、当該透過領域Ａｒ１，Ａｒ２は、入射された光を透過させる機能を有する。
この第２レンズ５９は、図２及び図４に示すように、Ｚ方向に沿う方向において、反射
ミラー５７Ｂ，５７ＣよりＺ方向側に配置される。
【００３５】
ここで、光路変更装置５内に配置される上記反射ミラー５７Ａ〜５７Ｄ、第１レンズ５
８及び第２レンズ５９は、例えば、以下に説明する筐体５０内にそれぞれ固定される。光
路変更装置５について、以下に詳しく説明する。
【００３６】
［光路変更装置の構成］
図１０は、光路変更装置５の後述する上面部５１側をＺ方向とは反対方向側から見た斜
視図であり、図１１は、光路変更装置５の後述する下面部５２側をＺ方向側から見た斜視
図であり、図１２は、光路変更装置５をＹ方向側から見た平面図であり、図１３は、光路
変更装置５をＹ方向とは反対方向側から見た平面図であり、図１４は、光路変更装置５を
Ｚ方向とは反対方向側から見た正面図である。
光路変更装置５は、図１０〜図１４に示すように、筐体５０を備える。この筐体５０は
、詳しくは後述するが、アルミダイキャストにより成型された第１フレーム部材ＦＵ及び
第２フレーム部材ＦＬにより構成される。筐体５０は、上面部５１、下面部５２、遮光面
部５３、出射面部５４、第１側面部５５及び第２側面部５６を有する略直方体形状に形成
されている。
【００３７】
［上面部及び下面部の構成］
図１０〜図１４に示すように、上面部５１には、複数の開口部５１１〜５１７と、溝部
５１８，５１９とが形成されている。また、下面部５２には、複数の開口部５２１〜５２
７と、溝部５２８，５２９とが形成されている。これら複数の開口部５１１〜５１７，５
２１〜５２７のうち、開口部５１１，５２１は、それぞれ上面部５１及び下面部５２の最
もＺ方向とは反対方向側に略三角形状に形成されている。また、開口部５１２，５１３及
び開口部５２２，５２３は、それぞれＸ方向に沿う方向に対向し、かつ、開口部５１１，
５２１と溝部５１８，５２８との間に略台形状に形成されている。更に、溝部５１８，５
２８のＺ方向側には、矩形状の開口部５１４，５２４が形成され、当該開口部５１４，５
２４のＺ方向側には、上記開口部５１１，５２１と同形状の開口部５１５，５２５が形成
されている。加えて、開口部５１５，５２５のＺ方向側には、上記開口部５１２，５２２
及び開口部５１３，５２３と同形状の開口部５１６，５２６及び開口部５１７，５２７が
形成されている。そして、上面部５１及び下面部５２の最もＺ方向側の位置には、上記溝
部５１８，５２８と同形状の溝部５１９，５２９が形成されている。
なお、天面部５１は、本発明の第２面部に相当し、底面部５２は、本発明の第１面部に
相当する。
【００３８】
また、上記開口部５１１，５２１は、図１２及び図１３に示すように、反射ミラー５７
Ａ，５７Ｄを保持する保持部５７１Ａ，５７１ＤのＺ方向とは反対方向側の面を冷却可能
な位置に形成される。同様に、開口部５１５，５２５は、反射ミラー５７Ｂ，５７Ｃを保
持する保持部５７１Ｂ，５７１ＣのＺ方向とは反対方向側の面を冷却可能な位置に形成さ
れる。詳しくは後述するが、上記冷却装置９から供給される冷却気体が開口部５２１，５
２５から開口部５１１，５１５に向けて冷却空気が流通する。これにより、各保持部５７
１Ａ〜５７１Ｄが冷却空気により冷却される。
【００３９】
また、上面部５１の溝部５１８，５１９のそれぞれには、図１０及び図１２に示すよう
に、板バネ部材５１８１，５１９１がスクリューＳ１により固定される。この板バネ部材
５１８１，５１９１は、溝部５１８，５１９に挿入される凸部（図示省略）を有し、当該
凸部が溝部５１８，５１９に挿入された状態でスクリューＳ１により上面部５１に固定さ
れる。この溝部５１８，５１９に挿入された上記凸部は、上記第１レンズ５８及び第２レ
ンズ５９を挟持する機能を有する。換言すると、板バネ部材５１８１，５１９１は、第１
及び第２レンズ５８，５９を上面部５１側、すなわち、Ｙ方向側で保持する機能を有する
。
【００４０】
［遮光面部の構成］
遮光面部５３は、光路変更装置５の第１及び第２側面部５５，５６に向けて上記光源装
置４１Ａ〜４１Ｄから出射される出射光をＺ方向とは反対方向に漏れることを抑制する機
能を有する。このため、遮光面部５３には、図１４に示すように、上記上面部５１、下面
部５２、出射面部５４、及び第１及び第２側面部５５，５６とは異なり、開口部が形成さ
れていない。また、遮光面部５３は、把持部５３１及び延長部５３２を備える。この把持
部５３１は、図１０及び図１４に示すように、遮光面部５３の略中央部分に形成される。
この把持部５３１は、Ｙ方向側の端部及びＹ方向とは反対方向側の端部がそれぞれＹ方向
とは反対方向及びＹ方向側に凹む凹部５３１１，５３１２を有する。
また、延長部５３２は、遮光面部５３を構成する第１フレーム部材ＦＵ及び第２フレー
ム部材ＦＬのうち、第２フレーム部材ＦＬのＹ方向とは反対方向側の端部に接続される矩
形板状の延長部材Ｆ２０により構成される（図１７参照）。
【００４１】
［出射面部の構成］
出射面部５４は、光路変更装置５により方向が揃えられた光をＺ方向に位置する均一化
装置３２に向けて出射させる機能を有する。このため、出射面部５４の略中央部分には、
図１１に示すように、矩形状の開口部５４１が形成される。この開口部５４１は、上記第
２レンズ５９の基板５９１における小レンズ５９２Ｂ，５９２Ｃ及び透過領域Ａｒ１，Ａ
ｒ２を含む領域をと略同一の大きさに形成されている。また、出射面部５４のＹ方向側の
端部には、Ｚ方向に突出する２つの突出部５４２が形成されている。この突出部５４２は
、プロジェクター１内に光路変更装置５が装着された際に、上記ベース部材３６に接続さ
れる。
【００４２】
［側面部の構成］
第１側面部５５には、図１１に示すように、３つの開口部５５１，５５２，５５３及び
ガイドレール５５４，５５５が形成されている。これら３つの開口部５５１〜５５３は、
それぞれ矩形状に形成され、これらのうち、開口部５５１は、図４に示すように、光源装
置４１Ａに対向する位置に形成されている。これにより、開口部５５１を介して当該光源
装置４１Ａから出射された出射光Ｌ１１が光路変更装置５内に入射する。また、開口部５
５３は、光源装置４１Ｃに対向する位置に形成され、当該開口部５５１を介して当該光源
装置４１Ｃから出射された出射光Ｌ３１が光路変更装置５内に入射する。更に、開口部５
５２は、開口部５５１と開口部５５３との間に形成されている。
ガイドレール５５４，５５５は、図１１及び図１４に示すように、上記開口部５５１〜
５５３を挟んでＹ方向側及びＹ方向とは反対方向側に形成されている。具体的に、ガイド
レール５５４は、第１側面部５５のＹ方向側の縁部に沿って形成され、ガイドレール５５
５は、当該第１側面部５５のＹ方向とは反対方向側の縁部に沿って形成される。これらガ
イドレール５５４，５５５は、上記ベース部材３６の係合部３６２１，３６２２と係合す
る（図２０参照）。
【００４３】
第２側面部５６には、図１０に示すように、３つの開口部５６１，５６２，５６３及び
ガイドレール５６４，５６５が形成されている。これら３つの開口部５６１〜５６３は、
それぞれ矩形状に形成され、これらのうち、開口部５６１は、図４に示すように、光源装
置４１Ｄに対向する位置に形成されている。これにより、開口部５６１を介して当該光源
装置４１Ｄから出射された出射光Ｌ４１が光路変更装置５内に入射する。また、開口部５
６３は、光源装置４１Ｂに対向する位置に形成され、当該開口部５６１を介して当該光源
装置４１Ｂから出射された出射光Ｌ２１が光路変更装置５内に入射する。更に、開口部５
６２は、開口部５６１と開口部５６３との間に形成されている。なお、上記開口部５５１
〜５５３及び開口部５６１〜５６３は、それぞれ略同形状に形成されている。
ガイドレール５６４，５６５は、図１０及び図１４に示すように、上記開口部５６１〜
５６３を挟んでＹ方向側及びＹ方向とは反対方向側に形成されている。具体的に、ガイド
レール５６４は、第２側面部５６のＹ方向側の縁部に沿って形成され、ガイドレール５６
５は、当該第２側面部５６のＹ方向とは反対方向側の縁部に沿って形成される。これらガ
イドレール５６４，５６５は、上記ベース部材３６の係合部３６３１，３６３２と係合す
る（図２０参照）。
【００４４】
［フレーム部材の構成］
図１５は、筐体５０を構成するフレーム部材ＦをＺ方向とは反対方向側から見た斜視図
であり、図１６は、フレーム部材ＦをＺ方向側から見た斜視図である。
光路変更装置５の筐体５０は、図１０に示すように、２つのフレーム部材ＦＵ，ＦＬに
より構成される。これら２つのフレーム部材ＦＵ，ＦＬのうち、Ｙ方向側に配置され、筐
体５０の上面部５１を構成するフレーム部材を第１フレーム部材ＦＵとし、下面部５２を
構成するフレーム部材を第２フレーム部材ＦＬとする。これら第１フレーム部材ＦＵ及び
第２フレーム部材ＦＬは、同一の金型により射出成形される略同一形状のアルミダイキャ
スト成形品である。すなわち、第１フレーム部材ＦＵ及び第２フレーム部材ＦＬのＹ方向
に沿う寸法は、略同一である。このため、以下の説明では、第２フレーム部材ＦＬについ
てのみ説明し、第１フレーム部材ＦＵについては、説明を省略する。
【００４５】
第２フレーム部材ＦＬは、図１５及び図１６に示すように、下面構成部Ｆ１、遮光面構
成部Ｆ２、出射面構成部Ｆ３、第１側面構成部Ｆ４及び第２側面構成部Ｆ５を備える。こ
れらのうち、下面構成部Ｆ１には、上記筐体５０の上面部５１及び下面部５２のいずれか
を構成する。この下面構成部Ｆ１は、上記筐体５０の複数の開口部５１１〜５１７，５２
１〜５２７のそれぞれに相当する開口部Ｆ１１〜Ｆ１７が形成されている他、Ｙ方向側の
内面Ｆ１Ａには、当該内面Ｆ１ＡからＹ方向に延びるミラー固定部Ｆ６，Ｆ７が形成され
ている。これらミラー固定部Ｆ６，Ｆ７は、上記反射ミラー５７Ａ〜５７Ｄのそれぞれを
固定する機能を有する。これらのうち、ミラー固定部Ｆ６は、上記内面Ｆ１Ａの開口部Ｆ
１１と開口部Ｆ１３との間に形成されており、ミラー固定部Ｆ７は、上記内面Ｆ１Ａの開
口部Ｆ１５と開口部Ｆ１６との間に形成されている。
【００４６】
これらミラー固定部Ｆ６，Ｆ７は、それぞれ光源装置４１Ａ〜４１Ｄから出射された出
射光をＺ方向に反射させる角度に設定されたミラー固定基準面Ｆ６Ａ，Ｆ７Ａを備える。
具体的に、ミラー固定部Ｆ６のミラー固定基準面Ｆ６Ａは、上記開口部Ｆ１３側に形成さ
れる。同様にミラー固定部Ｆ７のミラー固定基準面Ｆ７Ａは、上記開口部Ｆ１６側に形成
される。また、ミラー固定部Ｆ６，Ｆ７は、このミラー固定基準面Ｆ６Ａ，Ｆ７Ａに沿う
略Ｌ字型の溝部Ｆ６１，Ｆ７１を備える。更に、ミラー固定部Ｆ６，Ｆ７のＹ方向側の端
部には、２つの孔部Ｆ６２，Ｆ７２が形成されている。これにより、ミラー固定部Ｆ６，
Ｆ７の溝部Ｆ６１，Ｆ７１に上記反射ミラー５７Ａ〜５７Ｄのそれぞれが嵌め込まれ、上
記孔部Ｆ６２，Ｆ７２を介してねじ留め固定される（図１８参照）。
なお、ミラー固定部Ｆ６，Ｆ７は、上記筐体５０の保持部５７１Ａ〜５７１Ｄの一部を
構成する。また、ミラー固定部Ｆ６，Ｆ７は、アルミダイキャストにより成型されるため
、反射ミラー５７Ａ〜５７Ｄの温度が上記出射光Ｌ１１〜Ｌ４１により上昇すると、当該
反射ミラー５７Ａ〜５７Ｄの熱が当該ミラー固定部Ｆ６，Ｆ７に伝導される。
【００４７】
遮光面構成部Ｆ２は、上記筐体５０の遮光面部５３の一部を構成する。この遮光面構成
部Ｆ２は、把持部材Ｆ２１、凹部Ｆ２２、孔部Ｆ２３，Ｆ２４、突起Ｆ２５及び凹部Ｆ２
６を備える。把持部材Ｆ２１は、上記把持部５３１の一部に相当する。この把持部材Ｆ２
１は、遮光面構成部Ｆ２の略中央部分に設けられ、Ｙ方向側の端部まで延びる形状である
。また、把持部材Ｆ２１のＹ方向とは反対方向側の端部には、凹部Ｆ２２が形成されてい
る。この凹部Ｆ２２は、上記筐体５０の凹部５３１１，５３１２に相当する。更に、遮光
面構成部Ｆ２の両側部には、孔部Ｆ２３，Ｆ２４が形成されている。加えて、遮光面構成
部Ｆ２のＹ方向側の端部には、突起Ｆ２５及び凹部Ｆ２６が把持部材Ｆ２１を挟んで対向
する位置に配置される。この突起Ｆ２５は、凹部Ｆ２６に嵌まり込む形状に形成されてい
るため、第２フレーム部材ＦＬに第１フレーム部材ＦＵを重ねて配置する際に、第１フレ
ーム部材ＦＵの突起Ｆ２５が第２フレーム部材ＦＬの凹部Ｆ２６に嵌合し、第２フレーム
部材ＦＬの突起Ｆ２５が第１フレーム部材ＦＵの凹部Ｆ２６に嵌合する。すなわち、突起
Ｆ２５及び凹部Ｆ２６は、位置決め部材としての機能を有する。
【００４８】
出射面構成部Ｆ３は、上記筐体５０の出射面部５４の一部を構成する。この出射面構成
部Ｆ３は、略Ｕ字状に形成され、当該出射面構成部Ｆ３の両側部には、孔部Ｆ３１，Ｆ３
２が形成されている。具体的に、第２フレーム部材ＦＬに第１フレーム部材ＦＵを重ねて
配置する際に、第１フレーム部材ＦＵの孔部Ｆ３１，Ｆ３２は、第２フレーム部材ＦＬの
孔部Ｆ３１，Ｆ３２と重なり、当該孔部Ｆ３１，Ｆ３２にスクリューＳ２が螺合すること
により、第１フレーム部材ＦＵ及び第２フレーム部材ＦＬが強固に固定される（図１２及
び図１３参照）。
【００４９】
第１側面構成部Ｆ４は、複数の起立部Ｆ４１，Ｆ４２，Ｆ４３，Ｆ４４及びガイドレー
ルＦ４５を備える。これら起立部Ｆ４１〜Ｆ４４は、下面構成部Ｆ１のＸ方向とは反対方
向側の端部からＹ方向に向けて延びる矩形状に形成されている。これらのうち、起立部Ｆ
４１は、最もＺ方向とは反対方向側に位置し、遮光面構成部Ｆ２と接続されている。また
、起立部Ｆ４２は、起立部Ｆ４１よりＺ方向側に位置し、起立部Ｆ４３は、当該起立部Ｆ
４２よりＺ方向側に位置する。更に、起立部Ｆ４４は、最もＺ方向側に位置し、出射面構
成部Ｆ３に接続されている。ガイドレールＦ４５は、第１側面構成部Ｆ４のＹ方向とは反
対方向側で、上記起立部Ｆ４１〜Ｆ４４よりＹ方向とは反対方向側に形成され、Ｚ方向に
沿う方向に延びる溝により構成される。これらのうち、起立部Ｆ４２，Ｆ４４の内側面に
は、Ｙ方向に延びる溝部Ｆ４２１，Ｆ４４１が形成される。この溝部Ｆ４２１，Ｆ４４１
は、上記第１レンズ５８及び第２レンズ５９のそれぞれが嵌め込まれる。
なお、このガイドレールＦ４５は、上記筐体５０のガイドレール５５４，５６５に相当
する。
【００５０】
第２側面構成部Ｆ５は、複数の起立部Ｆ５１，Ｆ５２，Ｆ５３，Ｆ５４及びガイドレー
ルＦ５５を備える。これら起立部Ｆ５１〜Ｆ５４は、下面構成部Ｆ１のＸ方向側の端部か
らＹ方向に向けて延びる矩形状に形成されている。これらのうち、起立部Ｆ５１は、最も
Ｚ方向とは反対方向側に位置し、遮光面構成部Ｆ２と接続されている。また、起立部Ｆ５
２は、起立部Ｆ５１よりＺ方向側に位置し、起立部Ｆ５３は、当該起立部Ｆ５２よりＺ方
向側に位置する。更に、起立部Ｆ５４は、最もＺ方向側に位置し、出射面構成部Ｆ３に接
続されている。ガイドレールＦ５５は、第２側面構成部Ｆ５のＹ方向とは反対方向側で、
上記起立部Ｆ５１〜Ｆ５４よりＹ方向とは反対方向側に形成され、Ｚ方向に沿う方向に延
びる溝により構成される。これらのうち、起立部Ｆ５２，Ｆ５４の内側面には、Ｙ方向に
延びる溝部Ｆ５２１，Ｆ５４１が形成される。この溝部Ｆ５２１，Ｆ５４１は、上記第１
レンズ５８及び第２レンズ５９のそれぞれが嵌め込まれる。なお、このガイドレールＦ５
５は、上記筐体５０のガイドレール５５５，５６４を構成する。
【００５１】
［光路変更装置の組立方法］
図１７は、第２フレーム部材ＦＬをＺ方向とは反対方向側から見た斜視図であり、図１
８は、反射ミラー５７Ｃ，５７Ｄ、第１レンズ５８及び第２レンズ５９を取り付けた状態
の第２フレーム部材ＦＬをＺ方向とは反対方向側から見た斜視図であり、図１９は、光路
変更装置５をＺ方向とは反対方向側から見た一部分解斜視図である。なお、図１９では、
第１フレーム部材ＦＵにおいて、ミラー固定部Ｆ６，Ｆ７を省略している。
まず、作業者は、図１５及び図１６に示す状態の第２フレーム部材ＦＬの遮光面構成部
Ｆ２に、図１７に示すように、延長部材Ｆ２０を取り付ける。また、作業者は、出射面構
成部Ｆ３に、突出部Ｆ３０を取り付ける。なお、延長部材Ｆ２０は、上記筐体５０の遮光
面部５３の一部を構成し、突出部Ｆ３０は、上記筐体５０の突出部５４２を構成する。
【００５２】
そして、作業者は、図１８に示すように、ミラー固定部Ｆ６，Ｆ７のミラー固定基準面
Ｆ６Ａ，Ｆ７Ａに沿わせて反射ミラー５７Ｃ，５７Ｄを溝部Ｆ６１，Ｆ７１に嵌めこむ。
この後、固定部材Ｆ６３，Ｆ７３を当該反射ミラー５７Ｃ，５７Ｄに被せて、スクリュー
Ｓ３を上記孔部Ｆ６２，Ｆ７２に螺合させる。これにより、孔部Ｆ６２，Ｆ７２を介して
反射ミラー５７Ｃ，５７Ｄがミラー固定部Ｆ６，Ｆ７にねじ留め固定される。
なお、図示を省略するが作業者は、第１フレーム部材ＦＵについても、同様の作業を行
う。具体的に、作業者は、第１フレーム部材ＦＵのミラー固定部Ｆ６，Ｆ７のミラー固定
基準面Ｆ６Ａ，Ｆ７Ａに沿わせて反射ミラー５７Ａ，５７Ｂを溝部Ｆ６１，Ｆ７１に嵌め
こむ。この後、固定部材Ｆ６３，Ｆ７３を当該反射ミラー５７Ａ，５７Ｂに被せて、スク
リューＳ３を上記孔部Ｆ６２，Ｆ７２に螺合させる。これにより、孔部Ｆ６２，Ｆ７２を
介して反射ミラー５７Ａ，５７Ｂがミラー固定部Ｆ６，Ｆ７にねじ留め固定される。
【００５３】
図１８に戻って、作業者は、反射ミラー５７Ｃ，５７Ｄが固定された第２フレーム部材
ＦＬの起立部Ｆ４２，Ｆ５２に形成された溝部Ｆ４２１，Ｆ５２１に第１レンズ５８を嵌
め込む。この後、作業者は、溝部Ｆ４２１，Ｆ５２１と第１レンズ５８との間に板バネ部
材Ｋを嵌め込む。同様に、作業者は、起立部Ｆ４４，Ｆ５４に形成された溝部Ｆ４４１，
Ｆ５４１に第２レンズ５９を嵌め込む。そして、作業者は、溝部Ｆ４４１，Ｆ５４１と第
２レンズ５９との間に板バネ部材Ｋを嵌め込む。これにより、第１レンズ５８及び第２レ
ンズ５９が第２フレーム部材ＦＬに固定される。
なお、これら溝部Ｆ４２１，Ｆ４４１，Ｆ５２１，Ｆ５４１は、本発明の光学変換部品
保持部に相当する。
【００５４】
そして、作業者は、図１９に示すように、第２フレーム部材ＦＬに第１フレーム部材Ｆ
Ｕを重ねる。この際、第１フレーム部材ＦＵ及び第２フレーム部材ＦＬの遮光面構成部Ｆ
２に形成された突起Ｆ２５が凹部Ｆ２６に嵌合するように位置決めしつつ、第２フレーム
部材ＦＬに第１フレーム部材ＦＵを重ねる。そして、作業者は、孔部Ｆ２３，Ｆ２４，Ｆ
３１，Ｆ３２にスクリューＳ２を螺合させる。これにより、第１フレーム部材ＦＵ及び第
２フレーム部材ＦＬが固定され、筐体５０を構成する。このようにして、光路変更装置５
が構成される。
【００５５】
［光路変更装置の取付構造］
図２０は、プロジェクター１のベース部材３６に固定された第１ランプユニット４Ａ、
第２ランプユニット４Ｂ及び光路変更装置５を示す平面図である。
光路変更装置５は、図２０に示すように、プロジェクター１のベース部材３６に装着さ
れる。このベース部材３６は、底面部３６１及び延出部３６２，３６３を備える。底面部
３６１は、プロジェクター１の底面部２２に固定される。この底面部３６１には、Ｙ方向
側に延出する板状の延出部３６２，３６３が固定される。延出部３６２は、当該延出部３
６２のＸ方向とは反対方向側の面３６２Ａから、Ｘ方向とは反対方向側に突出する２つの
係合部３６２１，３６２２を備える。これらのうち、係合部３６２１は、光路変更装置５
のガイドレール５５４に係合し、係合部３６２２は光路変更装置５のガイドレール５５５
に係合する。一方、延出部３６３は、当該延出部３６３のＸ方向側の面３６３ＡからＸ方
向側に突出する２つの係合部３６３１，３６３２を備える。これらのうち、係合部３６３
１は、光路変更装置５のガイドレール５６４に係合し、係合部３６３２は光路変更装置５
のガイドレール５６５に係合する。
【００５６】
第１ランプユニット４Ａは、図２０に示すように、Ｚ方向とは反対方向側の矩形状の面
４２ＡからＸ方向とは反対側に延出する延出部４２１Ａを備える。この延出部４２１Ａは
、第１ランプユニット４Ａがベース部材３６に固定された際に、光路変更装置５の一部に
重なるように固定される。また、第２ランプユニット４Ｂは、Ｚ方向とは反対方向側の矩
形状の面４２ＢからＸ方向側に延出する延出部４２１Ｂを備える。この延出部４２１Ｂは
、第２ランプユニット４Ｂがベース部材３６に固定された際に、光路変更装置５の一部に
重なるように固定される。すなわち、延出部４２１Ａ，４２１Ｂが光路変更装置５のＸ方
向側の端部及びＸ方向とは反対方向側の端部を覆うように第１ランプユニット４Ａ及び第
２ランプユニット４Ｂが延出部に固定される。
また、第１ランプユニット４Ａは、延出部４２１ＡからＺ方向とは反対方向側に突出す
る把持部４２２Ａを備える。更に、第２ランプユニット４Ｂは、延出部４２１ＢからＺ方
向とは反対方向側に突出する把持部４２２Ｂを備える。これら把持部４２２Ａ，４２２Ｂ
は、略Ｕ字状に形成されている。
【００５７】
このような構成により、作業者は、光路変更装置５の把持部５３１を把持し、各ガイド
レール５５４，５５５，５６４，５６５を上記係合部３６２１，３６２２，３６３１，３
６３２と係合させつつ、Ｚ方向に押し込むことで、光路変更装置５がベース部材３６に固
定される。そして、第１ランプユニット４Ａ及び第２ランプユニット４Ｂの把持部４２２
Ａ，４２２Ｂを把持しつつ、光路変更装置５を挟むようにＺ方向に押し込むことで、第１
ランプユニット４Ａ及び第２ランプユニット４Ｂがベース部材３６に固定される。すなわ
ち、照明装置３１がプロジェクター１内に固定されることとなる。
一方、メンテナンス等のため、第１ランプユニット４Ａ、第２ランプユニット４Ｂ及び
光路変更装置５をプロジェクター１から取り出す場合は、第１ランプユニット４Ａ及び第
２ランプユニット４Ｂの把持部４２２Ａ，４２２Ｂを把持し、Ｚ方向とは反対方向側に引
っ張ることにより第１ランプユニット４Ａ及び第２ランプユニット４Ｂをプロジェクター
１から取り外す。そして、光路変更装置５の把持部５３１をＺ方向とは反対方向側に引っ
張ることで当該光路変更装置５をプロジェクター１から取り出すことができる。なお、光
路変更装置５は、延出部４２１Ａ，４２１ＢによりＺ方向に沿う方向の動きが規制されて
いるため、当該光路変更装置５をプロジェクター１から取り出す際には、まず、第１ラン
プユニット４Ａ及び第２ランプユニット４Ｂを取り外す必要がある。
【００５８】
［光路変更装置による光路変更］
図２１は、光路変更装置５をＸ方向とは反対方向側から見た側面図であり、図２２は、
光路変更装置５をＸ方向側から見た側面図である。なお、図２１及び図２２では、反射ミ
ラー５７Ａ〜５７Ｄのそれぞれに対応する光源装置４１Ａ〜４１Ｄの開口部４１３１を破
線で示している。
上記構成により、光路変更装置５は、各光源装置４１（４１Ａ〜４１Ｄ）から入射され
る光をＺ方向に揃えて出射し、当該光を上記均一化装置３２に入射させる。具体的に、光
源装置４１Ｄの開口部４１３１から出射された出射光Ｌ４１は、図３及び図２１に示すよ
うに、光路変更装置５の開口部５６１を介して反射ミラー５７Ｄに入射され、当該反射ミ
ラー５７ＤによりＺ方向に向けて反射される。また、光源装置４１Ｂの開口部４１３１か
ら出射された出射光Ｌ２１は、図３及び図２１に示すように、光路変更装置５の開口部５
６３を介して反射ミラー５７Ｂに入射され、当該反射ミラー５７ＢによりＺ方向に向けて
反射される。
【００５９】
また、光源装置４１Ａの開口部４１３１から出射された出射光Ｌ１１は、図３及び図２
２に示すように、光路変更装置５の開口部５５１を介して反射ミラー５７Ａに入射され、
当該反射ミラー５７ＡによりＺ方向に向けて反射される。また、光源装置４１Ｃの開口部
４１３１から出射された出射光Ｌ３１は、図３及び図２２に示すように、光路変更装置５
の開口部５５３を介して反射ミラー５７Ｃに入射され、当該反射ミラー５７ＣによりＺ方
向に向けて反射される。
【００６０】
［光路変更装置の冷却流路］
図２３は、光路変更装置５を冷却する冷却気体Ｒ１，Ｒ２の流路を示す図である。
光路変更装置５は、上記プロジェクター１内に配置された冷却装置９により冷却される
。具体的に、光路変更装置５のＹ方向とは反対方向側（下面部５２側）に冷却装置９のダ
クトが配置され、当該ダクトの突出口が光路変更装置５の開口部５２１，５２５に対向す
る位置に配置される（図示省略）。これにより、冷却装置９から供給される冷却気体Ｒ１
は、開口部５２１から開口部５１１に向けて流通する。また、冷却気体Ｒ２は、開口部５
２５から開口部５１５に向けて流通する。これにより、反射ミラー５７Ａ，５７Ｂを保持
する保持部５７１Ａ，５７１ＤのＺ方向とは反対方向側の面が冷却気体Ｒ１により冷却さ
れ、かつ、反射ミラー５７Ｂ，５７Ｃを保持する保持部５７１Ｂ，５７１ＣのＺ方向とは
反対方向側の面が冷却気体Ｒ２により冷却される。すなわち、冷却気体Ｒ１，Ｒ２は、保
持部５７１Ａ〜５７１Ｄを冷却することにより、当該保持部５７１Ａ〜５７１Ｄに保持さ
れる反射ミラー５７Ａ〜５７Ｄを冷却できる。換言すると、反射ミラー５７Ａ〜５７Ｄ（
当該反射ミラー５７Ａ〜５７Ａの反射面）に直接冷却気体Ｒ１，Ｒ２を流通させることな
く、当該反射ミラー５７Ａ〜５７Ｄを冷却できる。
【００６１】
本実施形態に係るプロジェクター１によれば、以下の効果を奏することができる。
筐体５０内を反射ミラー５７Ａ〜５７Ｄの反射面及び当該反射面とは反対方向側の面に
略直交する方向、すなわち、Ｙ方向に沿う方向に冷却気体Ｒ１，Ｒ２が流通するので、反
射ミラー５７Ａ〜５７Ｄを冷却し、かつ、当該反射ミラー５７Ａ〜５７Ｄを冷却した冷却
気体Ｒ１，Ｒ２を筐体５０外に排出できる。従って、上記反射ミラー５７Ａ〜５７Ｄを効
率よく冷却できる。
【００６２】
ここで、筐体５０内を流通する冷却気体Ｒ１，Ｒ２には、塵埃が含まれる場合があり、
当該冷却気体Ｒ１，Ｒ２が反射ミラー５７Ａ〜５７Ｄの反射面側を流通すると、当該塵埃
が反射面に付着する可能性がある。このような場合、反射ミラー５７Ａ〜５７Ｄによる光
の反射効率が低下するおそれがある。
これに対し、本実施形態では、反射ミラー５７Ａ〜５７Ｄの反射面とは反対側を冷却気
体Ｒ１，Ｒ２が流通するので、冷却気体Ｒ１，Ｒ２が反射ミラー５７Ａ〜５７Ｄの反射面
側を流通する場合に比べて、当該反射ミラー５７Ａ〜５７Ｄの反射面に塵埃が付着する可
能性を低減できる。従って、反射ミラー５７Ａ〜５７Ｄ光の反射効率が塵埃の付着によっ
て低減されることを抑制できる。
【００６３】
反射ミラー５７Ａ〜５７Ｄを保持する保持部５７１Ａ〜５７１Ｄに冷却気体Ｒ１，Ｒ２
が流通するので、反射ミラー５７Ａ〜５７Ｄから熱が伝導される保持部５７１Ａ〜５７１
Ｄを冷却気体Ｒ１，Ｒ２によって冷却することにより、反射ミラー５７Ａ〜５７Ｄを間接
的に冷却できる。従って、反射ミラー５７Ａ〜５７Ｄを効率よく冷却できる。そして、こ
のように冷却気体Ｒ１，Ｒ２が流通することにより、当該冷却気体Ｒ１，Ｒ２が上記反射
面側を流通することを抑制でき、冷却気体Ｒ１，Ｒ２に含まれる塵埃が反射面に付着する
ことを確実に抑制できる。
【００６４】
第１フレーム部材６０Ｕ及び第２フレーム部材６０Ｌがアルミダイキャストにより構成
されている、すなわち、保持部５７１Ａ〜５７１Ｄが熱伝導性材料により構成されている
ので、反射ミラー５７Ａ〜５７Ｄの熱を確実に保持部５７１Ａ〜５７１Ｄに伝導でき、当
該保持部５７１Ａ〜５７１Ｄに冷却気体Ｒ１，Ｒ２が流通することにより、当該反射ミラ
ー５７Ａ〜５７Ｄを確実に冷却できる。
【００６５】
冷却装置９により上記底面部５２の開口部５２１，５２５に冷却気体Ｒ１，Ｒ２が流通
するので、確実に光路変更装置５を冷却できる。
【００６６】
［実施形態の変形］
本発明は、上記実施形態に限定されるものではなく、本発明の目的を達成できる範囲で
の変形、改良等は本発明に含まれるものである。
上記実施形態では、開口部５１１，５１５，５２１，５２５は、それぞれ反射ミラー５
７Ａ〜５７Ｄの反射面とは反対側（Ｚ方向とは反対方向側）に冷却気体Ｒ１，Ｒ２が流通
される位置に形成されていることとした。しかしながら、本発明は、これに限らない。例
えば、上記開口部５１１，５１５，５２１，５２５は、反射ミラー５７Ａ〜５７Ｄの反射
面側に冷却気体Ｒ１，Ｒ２が流通される位置に形成されていてもよい。この場合であって
も、冷却気体Ｒ１，Ｒ２が筐体５０内をＹ方向に沿う方向に流通するので、反射ミラー５
７Ａ〜５７Ｄを冷却できる。
また、開口部５１１，５１５，５２１，５２５を冷却気体Ｒ１，Ｒ２が流通することと
した。しかしながら、本発明は、これに限らない。例えば、天面部５１及び底面部５２に
形成された全ての開口部５１１〜５１７，５２１〜５２７に冷却気体を流通させるように
してもよいし、これらのうち一部の開口部にのみ冷却気体を流通させるようにしてもよい
。
【００６７】
上記実施形態では、冷却気体Ｒ１，Ｒ２は、開口部５２１，５２５から開口部５１１，
５１５に向けて流通することとした。しかしながら、本発明は、これに限らない。例えば
、冷却気体Ｒ１，Ｒ２を開口部５１１，５１５から開口部５２１，５２５に向けて流通す
ることとしてもよい。この場合であっても、上記実施形態と同様、反射ミラー５７Ａ〜５
７Ｄを効率よく冷却できる。
【００６８】
上記実施形態では、保持部５７１Ａ〜５７１Ｄが熱伝導性材料、すなわち、アルミダイ
キャストにより成型されることとした。しかしながら、本発明は、これに限らない。例え
ば、保持部５７１Ａ〜５７１Ｄを別部材として、フレーム部材Ｆに取り付ける構成として
もよい。また、上記保持部５７１Ａ〜５７１Ｄは、熱伝導性材料でなくてもよい。
【００６９】
上記実施形態では、第１ランプユニット４Ａが光源装置４１Ａ，４１Ｃを備え、第２ラ
ンプユニット４Ｂが光源装置４１Ｂ，４１Ｄを備えることとした。しかしながら、本発明
は、これに限らない。例えば、第１及び第２ランプユニット４Ａ，４Ｂを備えることなく
、光源装置４１Ａ〜４１Ｄが直接プロジェクター１内に固定されてもよい。
【００７０】
上記実施形態では、入射された光を平行化する第１レンズ５８及び第２レンズ５９を備
えることとした。しかしながら、本発明は、これに限らない。例えば、光路変更装置５は
、これら第１及び第２レンズ５８，５９を備えなくてもよい。この場合、反射ミラー５７
Ａ〜５７Ｄにより反射された出射光Ｌ１２〜Ｌ４２がそのまま均一化装置３２に供給され
てもよい。
また、第１レンズ５８を備えず、第１レンズ５８の小レンズ５８２Ａ，５８２Ｄを第２
レンズ５９に設けるようにしてもよい。更に、第１レンズ５８に代えて、光源装置４１Ａ
〜４１Ｄのそれぞれに対応する平行化レンズを４つ設けてもよい。
【００７１】
上記実施形態では、光源装置４１Ａ〜４１Ｄのそれぞれに対応する反射ミラー５７Ａ〜
５７Ｄを設けることとした。しかしながら、本発明は、これに限らない。反射ミラー５７
Ａ，５７Ｄ、並びに、反射ミラー５７Ｂ，５７Ｃのそれぞれが一体化した反射ミラーを設
けるようにしてもよい。
【００７２】
上記実施形態では、光源装置４１Ａ及び光源装置４１ＢのＹ方向の高さ位置は、光源装
置４１Ｃ及び光源装置４１Ｄの高さ位置より高い構成とした。しかしながら、本発明は、
これに限らない。例えば、光源装置４１Ａ及び光源装置４１Ｂの高さ位置が光源装置４１
Ｃ及び光源装置４１Ｄの高さ位置より低くてもよい。
上記実施形態では、光源装置４１Ａの高さ位置は、光源装置４１Ｂの高さ位置と略同一
であり、光源装置４１Ｃの高さ位置と光源装置４１Ｄの高さ位置と略同一であることとし
た。しかしながら、本発明は、これに限らない。例えば、光源装置４１Ａの高さ位置が光
源装置４１Ｂの高さ位置と異なってもよいし、光源装置４１Ｃの高さ位置が光源装置４１
Ｄの高さ位置と異なってもよい。
【００７３】
上記実施形態では、第１ランプユニット４Ａ及び第２ランプユニット４Ｂが光路変更装
置５を挟むように配置されることとした。しかしながら、本発明は、これに限らない。例
えば、第１及び第２ランプユニット４Ａ，４Ｂが光路変更装置５の片側にＺ方向に並んで
配置されてもよいし、Ｙ方向に重なって配置されるようにしてもよい。この場合、光路変
更装置５の反射ミラー５７Ａ〜５７Ｄを第１及び第２ランプユニット４Ａ，４Ｂの光源装
置４１Ａ〜４１Ｄに対応する位置に配置すればよい。
【００７４】
上記実施形態では、光変調装置として透過型の液晶パネル３４１（３４１Ｒ，３４１Ｇ
，３４１Ｂ）を用いることとした。しかしながら、本発明は、これに限らない。例えば、
透過型の液晶パネル３４１（３４１Ｒ，３４１Ｇ，３４１Ｂ）に代えて、反射型の液晶パ
ネルを用いてもよい。この場合、色分離装置３３を設けることなく、当該色合成装置３４
４により、色分離及び色合成を実行するようにしてもよい。
【００７５】
上記実施形態では、プロジェクター１は、３つの液晶パネル３４１（３４１Ｒ，３４１
Ｇ，３４１Ｂ）を備えることとしたが、本発明はこれに限らない。すなわち、２つ以下、
あるいは、４つ以上の液晶パネルを用いたプロジェクターにも、本発明を適用可能である
。
また、液晶パネルに代えて、デジタルマイクロミラーデバイス等を用いてもよい。
上記実施形態では、光源装置４１Ａ〜４１Ｄは、発光管４１１、リフレクター４１２及
び収納体４１３を備えることとした。しかしながら、本発明は、これに限らない。例えば
、ＬＥＤ（Light Emitting Diode）及びＬＤ（Laser Diode）等であってもよい。
【００７６】
上記実施形態では、プロジェクター１は、光源装置４１Ａ〜４１Ｄを備えることとした
。しかしながら、本発明は、これに限らない。例えば、上記光源装置は６つであってもよ
いし８つであってもよい。
上記実施形態では、画像形成装置３は略Ｕ字状に構成されていたが、本発明はこれに限
らない。例えば、略Ｌ字状に構成された画像形成装置を採用してもよい。
【符号の説明】
【００７７】
１…プロジェクター、３１…照明装置、４１，４１Ａ，４１Ｂ，４１Ｃ，４１Ｄ…光源
装置、４Ａ…第１ランプユニット（光源ユニット）、４Ｂ…第２ランプユニット（光源ユ
ニット）、５…光路変更装置、５０…筐体、５１…上面部（第２面）、５１１，５１２、
５１３，５１４、５１５，５１６，５１７…開口部、５２…下面部（第１面）、５２１，
５２２、５２３，５２４、５２５，５２６，５２７…開口部、５７，５７Ａ，５７Ｂ，５
７Ｃ，５７Ｄ…反射ミラー、５７１Ａ，５７１Ｂ，５７１Ｃ，５７１Ｄ…保持部、５８…
第１レンズ（光学変更部品）、５９…第２レンズ（光学変更部品）、ＦＬ…第２フレーム
部材、ＦＵ…第１フレーム部材、９…冷却装置、Ｒ１…冷却気体、Ｒ２…冷却気体。
【図１】
2017003798.tif 000003
【図２】
2017003798.tif 000004
【図３】
2017003798.tif 000005
【図４】
2017003798.tif 000006
【図５】
2017003798.tif 000007
【図６】
2017003798.tif 000008
【図７】
2017003798.tif 000009
【図８】
2017003798.tif 000010
【図９】
2017003798.tif 000011
【図１０】
2017003798.tif 000012
【図１１】
2017003798.tif 000013
【図１２】
2017003798.tif 000014
【図１３】
2017003798.tif 000015
【図１４】
2017003798.tif 000016
【図１５】
2017003798.tif 000017
【図１６】
2017003798.tif 000018
【図１７】
2017003798.tif 000019
【図１８】
2017003798.tif 000020
【図１９】
2017003798.tif 000021
【図２０】
2017003798.tif 000022
【図２１】
2017003798.tif 000023
【図２２】
2017003798.tif 000024
【図２３】
2017003798.tif 000025